(57)【特許請求の範囲】
【請求項１】
法面覆工ブロックの周面に締結輪を縮径しつつ巻締めし、該縮径によって形成された締結輪の余長輪部分にて連結輪を形成し、該連結輪に法面覆工ブロックで覆工される法面内へ埋設されるアンカー手段を連結する構成としたことを特徴とする法面覆工ブロックの引留め構造。
【請求項２】
上記締結輪の周方向に離間する複数部位に上記連結輪を形成したことを特徴とする請求項１記載の法面覆工ブロックの引留め構造。
【請求項３】
上記締結輪の周長の一部を捻合して上記巻締めを図ると共に上記連結輪を形成する構成としたことを特徴とする請求項１又は２記載の法面覆工ブロックの引留め構造。
【請求項４】
上記締結輪の周長の一部にかしめ筒を外挿し、該かしめ筒のかしめによって上記巻締めを図ると共に上記連結輪を形成する構成としたことを特徴とする請求項１又は２記載の法面覆工ブロックの引留め構造。
【請求項５】
上記締結輪がワイヤーロープを輪にしたものから成ることを特徴とする請求項１又は２又は３又は４記載の法面覆工ブロックの引留め構造。
【発明の詳細な説明】
【０００１】
【発明の属する技術分野】
本発明は河川の護岸や擁壁構築に用いる法面覆工ブロックの引留め構造に関する。
【０００２】
【従来の技術】
法面にコンクリートブロックや自然石ブロックから成る覆工ブロックを積み上げて護岸や擁壁を構築する場合、特許文献１と２に示す如く覆工ブロックを法面内へ埋め込まれるアンカー手段にて引留めし、法面に定着する工法が実施されている。
【０００３】
特許文献１においては上記アンカー手段として、引留棒材の前端を上記覆工ブロック内へ埋め付け、該引留棒材の後端部に抵抗板等を設ける等、アンカー手段を覆工ブロックに連結する手段として、上記引留棒材の端部又は連結具を覆工ブロックにドリル加工等して穿孔した孔に接着剤等を介して埋め付ける連結構造を採っている。
【０００４】
又特許文献２においては上記引留棒材の前端を輪状に曲成して係止輪を形成し、該係止輪を覆工ブロックの周面に形成した係止溝内に係入するか、覆工ブロックの周面に形成した係止突部に係合せしめ、同引留棒材の後端に上記抵抗板等を設ける構成を採っている。
【０００５】
【特許文献１】
特許第２９８３２０７号公報
【０００６】
【特許文献２】
特開２００２−２２７１６９号公報
【０００７】
【発明が解決しようとする課題】
然しながら前者においては剛直性を有する引留棒材が覆工ブロックの後方へ長く延出しているため、多数の覆工ブロックを現場に搬入する際や備蓄する際に空間を占有し備蓄運搬効率を妨げたり、備蓄運搬時に変形する問題を有している。
【０００８】
又覆工工事現場において上記覆工ブロックにドリル穿孔したり、接着剤を注入してアンカー手段を埋め付ける方法は、その作業をブロック積み上げ職人に強いることとなって非現実的であるばかりか、この作業によって作業手順や工期を遅らせる原因となる。
【０００９】
又後者においては覆工ブロックとアンカー手段とを別々に備蓄運搬でき、覆工工事現場において引留棒材の前端に曲成した係止輪を覆工ブロックに押し込むのみでアンカー手段を覆工ブロックに敷設することができる利点を有するが、剛直性を有する引留棒材に係止輪を曲成するのに加工手間がかかる。
【００１０】
加えて係止輪の係止を確実にせんとして同直径を小さくすると覆工ブロック周面へ押し込み難くなり、又押し込みを容易にせんとして同直径を大きくすると押し込みは容易であるが脱輪し易くなり、総じて係止輪と係止溝間に遊びを生ずる懸念を有している。加えてアンカー手段として引留棒材の使用に限定され、設計の自由度を妨げる。
【００１１】
【課題を解決するための手段】
本発明は上記従来例の問題点を適切に解決する法面覆工ブロックの引留め構造を提供するものである。
【００１２】
その手段としてこの法面覆工ブロックの引留構造においては、法面覆工ブロックの周面に締結輪を縮径しつつ巻締めし、該縮径によって形成された締結輪の余長輪部分にて連結輪を形成し、該連結輪に法面覆工ブロックで覆工される法面内へ埋設されるアンカー手段を連結する構成を採用した。
【００１３】
又連結輪は単数又は上記締結輪の周方向に離間する複数部位に設け、各連結輪にアンカー手段を連結する。この各連結輪は隣接する覆工ブロック間において並置し、この並置した両連結輪に上記アンカー手段を連結し、アンカー手段を隣接する覆工ブロック間において共用する構成を採ることができる。
【００１４】
上記連結輪は上記締結輪の周長の一部を捻合して形成し、該捻合によって上記法面覆工ブロック周面への巻締めを図る。これに従い締結輪の周方向に離間する複数部位を捻合して複数の連結輪を形成し、各捻合部位において縮径と巻き締めを図る。
【００１５】
又は上記連結輪は上記締結輪の周長の一部にかしめ筒を外挿し、該かしめ筒のかしめによって形成し、同時に該かしめ筒のかしめによって上記法面覆工ブロック周面への巻締めを図る。これに従い締結輪の周方向に離間する複数部位にかしめ筒を外挿し、かしめによって複数の連結輪を形成し、各かしめ部位において縮径と巻き締めを図る。
【００１６】
上記締結輪は鋼線の撚り合わせ構造から成るワイヤーロープを輪にしたものを用いる。ワイヤーロープは可撓性に富み上記巻締めが容易であり、且つ経年劣化が少なく適性である。ワイヤーロープの他、無垢の鋼線材等の金属線材を用いることができる。
【００１７】
上記締結輪は縮径して法面覆工ブロック周面に強固に巻き締めでき、脱輪を適切に防止し、締結輪と覆工ブロック間に遊びを生ずる懸念を払拭して引留目的を健全に達成する。
【００１８】
又上記締結輪を法面覆工ブロックの周面に捻合して巻き締めする作業や、圧着して巻き締めする作業は、現場職人によっても容易であり、アンカー手段を覆工ブロックに現場において迅速且つ容易に連結し得る。
【００１９】
加えてアンカー手段と法面覆工ブロックとを分離して備蓄運搬する利点も享受し得る。
【００２０】
【発明の実施の形態】
以下本発明の実施形態を図１乃至図９に基づいて説明する。
【００２１】
１はコンクリート製又は自然石から成る法面覆工ブロック１であり、この法面覆工ブロック１は少なくとも前半部が玉石形状又は凹凸のある岩石形状を呈する。
【００２２】
図１，図４，図５等に示すように、この法面覆工ブロック１の周面に締結輪２を縮径しつつ巻締めし、該縮径によって形成された締結輪２の余長輪部分にて連結輪３を形成し、この連結輪３を屈撓して法面覆工ブロック１の後面後方に延出し、該連結輪３に法面覆工ブロック１で覆工される法面４内へ埋設されるアンカー手段５を連結する。
【００２３】
上記連結輪３は単数又は上記締結輪２の周方向に離間する複数部位に設け、各連結輪３にアンカー手段５を連結する。図１に示すように、この各連結輪３は隣接する覆工ブロック１間において並置し、この並置した両連結輪３に上記アンカー手段５を連結し、アンカー手段５を隣接する覆工ブロック１間において共用する。
【００２４】
一例として各連結輪３は締結輪２の略１８０度対向する位置に設け、覆工ブロック１の略１８０度対向する側面から後方へ延出するように配置する。即ち締結輪２の周方向に略１８０度離間する複数部位において縮径し、この縮径に伴って生じた余長輪部分にて複数の連結輪３を形成する。
【００２５】
図４Ａに示すように、上記締結輪２は法面覆工ブロック１の周面に遊合して係止溝７上に位置させ、次いで図４Ｂに示すように、上記締結輪２の周長の一部を捻合して連結輪３を形成し、該捻合によって上記法面覆工ブロック１周面への巻締めを図る。これに従い締結輪２の周方向に離間する複数部位を捻合して複数の連結輪３を形成し、各捻合部位１５において縮径と巻き締めを図る。
【００２６】
上記捻合長によって締結輪２の巻き締め径を自在に設定し、法面覆工ブロック１の周面に緊密に巻き締めする。
【００２７】
又は図５Ａに示すように、上記締結輪２の周長の一部に金属製のかしめ筒６を外挿しておき、この締結輪２を法面覆工ブロック１の周面に遊合して係止溝７上に位置させ、次いで図５Ｂに示すように、上記かしめ筒６を法面覆工ブロック１方向へ移動し、充分な巻き締めを得た後、該かしめ筒６をかしめ付けることによって該巻き締め状態を維持すると共に連結輪３を形成する。
【００２８】
よって上記かしめ筒６のかしめによって上記法面覆工ブロック１周面への巻締めを図ると同時に連結輪３を形成する。これに従い締結輪２の周方向に離間する複数部位にかしめ筒６を外挿し、かしめ付けによって複数の連結輪３を形成し、各かしめ部位１６において縮径と巻き締めを図る。
【００２９】
上記かしめ筒６は図５Ａに矢印で示すように、締結輪２の周長の一部を挿入し移動可能であり、この移動によって巻き締め径を自在に設定し、法面覆工ブロック１の周面に緊密に巻き締めする。
【００３０】
上記締結輪２は線材、好ましくは鋼線の撚り合わせ構造から成るワイヤーロープを輪にしたものを用いる。ワイヤーロープは可撓性に富み上記巻締めが容易であり、且つ経年劣化が少なく適性である。ワイヤーロープで締結輪２を形成する場合には、上記かしめ筒６による縮径と巻き締めが適切である。
【００３１】
図９Ａに示すように、ワイヤーロープから成る線材としては条材を用いることができ、該条材の両端を互いに結合して輪にする。この結合手段として例えば線材たるワイヤーローブの両端をかしめ筒１１に挿入し、該かしめ筒１１をワイヤーロープにかしめ付けて輪にする。
【００３２】
又締結輪２として無垢の鋼線材等の金属線材を用いる。金属線材は捻合による塑性変形によって容易に縮径でき、巻き締め状態を保つ。無垢の金属線材としては条材を用いることができ、該条材の両端を互いに結合して輪にする。この結合手段として例えば線材の両端をかしめ筒１１に挿入し、該かしめ筒１１をワイヤーロープにかしめて輪にする。
【００３３】
図１乃至図６等に示すように、上記締結輪２を法面覆工ブロック１の周面に確実に巻き締めする手段として、同ブロック１の後部周面に環状又は隔置した係止溝７を形成し、覆工ブロック１周面に締結輪２を遊挿し、遊挿後上記捻合やかしめ筒６により縮径し係止溝７の内底面に強固に巻き締めする。締結輪２、即ち締結輪２の上記縮径によって形成される巻き締め輪８は上記係止溝７の形成壁たる周方向に延在する係止壁９により後方への脱輪を有効に阻止する。
【００３４】
又は法面覆工ブロック１の後部周面に突起を隔置し、この突起の前側に締結輪２を遊挿し、上記捻合やかしめ筒６により縮径し覆工ブロック１周面に巻き締めする。締結輪２、即ち締結輪２の上記縮径によって形成される巻き締め輪８は上記突起により後方への脱輪を有効に阻止する。
【００３５】
上記アンカー手段５の一具体例として、図１，図３，図９等に示すように、金属線材、即ち金属棒材にて引留線材（引留棒材）１０を形成し、該引留線材１０をＵ字形に折り曲げて上記連結輪３に通挿し、該Ｕ字形引留線材１０の折り曲げ部を上記連結輪３に通し掛けすると共に、Ｕ字形に折り曲げて形成された二条の引留線材１０ａ，１０ｂの後端を金属製等の抵抗板１２に挿入し、挿入端に形成した雌ねじ部にナット１３を螺合し、抵抗板１２の後方への離脱を阻止し、更に必要に応じ金属線材の後端を抵抗板１２の前端側において潰し加工するか屈曲し、該潰し加工部１７又は屈曲部にて抵抗板１２の前方への移動を阻止する。例えば覆工ブロック１の背後にぐり石或いは荒砂利と呼ばれる裏込め材２０を裏込めし、この裏込め材２０にて抵抗板１２を抑止する。
【００３６】
抵抗板１２にはその中央部に二個の貫通孔１４を設け、各貫通孔１４に上記引留線材１０ａ，１０ｂの後端を挿入する。
【００３７】
図１に示すように、上記連結輪３を隣接する法面覆工ブロック１間において並置し、該並置した両連結輪３に上記Ｕ字形に折り曲げた引留線材１０ａ，１０ｂを通し掛けにして引留線材１０及び抵抗板１２から成るアンカー手段５を上記隣接する両ブロック１間において共用する。
【００３８】
上記アンカー手段５は一例を示したものであり、締結輪２を法面覆工ブロック１に巻き締めして連結輪３を形成しておくことにより、様々な仕様のアンカー手段をこの連結輪３に連結して覆工ブロック１の法面４への定着を図ることができる。
【００３９】
上記引留線材１０としては締結輪２と同様、ワイヤーロープを使用することができる。
【００４０】
又上記引留線材１０はＵ字形に折り曲げた線材１０ａ，１０ｂを有するものを使用した例を示したが、一条の金属線材にて引留線材１０を形成し、該金属引留線材１０の一端に形成したフックを上記連結輪３に引っ掛け係合し、後端に抵抗板１２等を前記取り付け構造等により取り付けることができる。
【００４１】
図６に示すように、上記法面覆工ブロック１は後半部の対向する側面に後方へ向け収斂する斜面（平面）１８を有し、この斜面の後端に上記係止溝７と係止壁９を形成する。係止壁９は上記斜面と対応する左右側面が平面１９である。
【００４２】
よって図７に示すように、覆工ブロック１で覆工される法面４が平面視凸曲面を呈する場合に、横方向に隣接する覆工ブロック１間において上記斜面１８を近接させるように積みブロックして、隣接する覆工ブロック１の対向する側面が可及的に密接せる覆工が行えるようにしている。
【００４３】
又図８に示すように、法面４が平面視凹曲面又は平面を呈する場合に、斜面１８の前端が密接せる覆工が行えるようにしている。
【００４４】
【発明の効果】
上記締結輪は縮径によって法面覆工ブロック周面に強固に巻き締めでき、脱輪を適切に防止し、締結輪と覆工ブロック間に遊びを生ずる懸念を払拭して引留目的を健全に達成することができる。
【００４５】
又上記締結輪を捻合や、かしめ筒のかしめによって縮径し巻き締めする作業は、覆工現場において容易に行え、この縮径巻き締めにより連結輪を直ちに形成し、この連結輪を用いてアンカー手段を法面覆工ブロックに現場において迅速且つ容易に連結し得る。
【００４６】
加えてアンカー手段と法面覆工ブロックとを分離して備蓄運搬する利点も享受し得る。
【図面の簡単な説明】
【図１】法面覆工ブロックによる覆工状態を平面視する図。
【図２】アンカー手段を平面視せる断面図。
【図３】法面覆工ブロックによる覆工状態を側面視する図。
【図４】Ａ，Ｂは法面覆工ブロックに締結輪を捻合にて巻き締めする工程を説明する後方より観た断面図。
【図５】Ａ，Ｂは法面覆工ブロックに締結輪をかしめ筒によって巻き締めする工程を説明する後方より観た断面図。
【図６】Ａは法面覆工ブロックの側面図、Ｂは同平面図。
【図７】上記覆工ブロックで凸曲面を呈する法面を覆工した状態を示す平面図。
【図８】上記覆工ブロックで凹曲面を呈する法面を覆工した状態を示す平面図。
【図９】Ａは締結輪の正面図、Ｂは引留線材の平面図、Ｃは抵抗板の正面図。
【符号の説明】
１…法面覆工ブロック、２…締結輪、３…連結輪、４…法面、５…アンカー手段、６…かしめ筒、７…係止溝、８…巻締め輪、９…係止壁、１０，１０ａ，１０ｂ…引留線材、１１…かしめ筒、１２…抵抗板、１３…ナット、１４…貫通孔、１５…捻合部位、１６…かしめ部位、１７…潰し加工部、１８…法面覆工ブロックの斜面部、１９…係止壁の平面部、２０…裏込め材
【図１】
0003662235.tif 000002
【図２】
0003662235.tif 000003
【図３】
0003662235.tif 000004
【図４】
0003662235.tif 000005
【図５】
0003662235.tif 000006
【図６】
0003662235.tif 000007
【図７】
0003662235.tif 000008
【図８】
0003662235.tif 000009
【図９】
0003662235.tif 000010